(57)【要約】  本発明は、光ビームを発生させる複数の光源を備えた車両２用の照明システムを制御するための方法に関する。当該方法は、−  車両２の前方の物体５を検出する段階と、−  検出段階中に行われる検出の関数として、光ビーム内に陰区域８を作り出す段階であって、検出された物体５を完全に包含している空間１０中で光ビーム内に陰区域８が作り出される段階と、を備えた方法にであって、物体５を包含している空間１０内に光源のうち少なくとも１つによって生じる光度が、ある光度閾よりも大きいときに、この光源の消灯によって陰区域が作り出され、光度閾は、厳密にゼロより大きく、かつ車両の移動の軸線に対する物体５の角位置、および／または車両２に対する物体５の移動の方向、および／または車両２に対するその距離の関数として決定されることを特徴とする。自動車両への適用。
2015527253.tif 000002
【特許請求の範囲】
【請求項１】
光ビーム（１）を発生させる複数の光源を備えた車両（２）用の照明システムを制御するための方法であって、
−  前記車両（２）の前方の物体（５，５ａ，５ｂ）を検出する段階と、
−  前記検出段階中に行われる検出の関数として、前記光ビーム（１）内に陰区域（８）を作り出す段階であって、検出された前記物体（５，５ａ，５ｂ）を完全に包含している空間（１０）中で前記光ビーム（１）内に前記陰区域（８）が作り出される段階と、
を備えた方法において、
前記物体（５，５ａ，５ｂ）を包含している前記空間（１０）内に前記光源のうち少なくとも１つによって生じる光度が、ある光度閾よりも大きいときに、この光源の消灯によって前記陰区域（８）が作り出され、前記光度閾は、厳密にゼロより大きく、かつ前記車両の移動の軸線（１８）に対する前記物体（５，５ａ，５ｂ）の角位置、および／または前記車両（２）に対する前記物体（５，５ａ，５ｂ）の移動の方向、および／または前記車両（２）に対するその距離の関数として決定されることを特徴とする方法。
【請求項２】
前記照明システムは少なくとも２つのヘッドライト（４ａ，４ｂ）を備えており、当該方法は、前記陰区域（８）が各ヘッドライトについて独立して決定され、前記ヘッドライトの一方が、他方のヘッドライトによって作り出される前記陰区域の決定のために、消灯されたものと見做されることを特徴とする、請求項１記載の方法。
【請求項３】
前記光度閾は、前記車両の移動の軸線（１８）に対する前記物体の角位置、前記車両（２）に対する前記物体の移動の方向、および前記車両（２）に対するその距離の関数として決定される、請求項１または２記載の方法。
【請求項４】
前記光度閾は、前記物体（５，５ａ，５ｂ）の前記車両（２）に対する移動の方向の決定の関数としての少なくとも２つの別個の閾から選択される、請求項１または２記載の方法。
【請求項５】
前記物体（５，５ａ，５ｂ）が前記車両（２）とは反対の方向に移動しているものと決定されたときには、前記光度閾が少なくとも３つの別個の閾から選択され、各閾は、少なくとも前記物体（５，５ａ，５ｂ）の前記角位置を所定の角度範囲（２７，２８，２９，３０）と比較することによって決定される、請求項４記載の方法。
【請求項６】
各閾は、前記車両（２）から前記物体（５，５ａ，５ｂ）を隔てる距離を所定の距離の範囲と比較することによって決定される、前記請求項に記載の方法。
【請求項７】
前記物体（５，５ａ，５ｂ）の前記角位置が前記車両（２）の移動の軸線（１８）に対して２°以上であり、特に前記車両（２）の前記移動の軸線（１８）に対して２°から４．８°の間にあるときには、第１光度閾が決定される、請求項５または６のいずれかに記載の方法。
【請求項８】
前記第１光度閾は６２５カンデラ以下である、請求項７記載の方法。
【請求項９】
前記物体（５，５ａ，５ｂ）の前記角位置が前記車両（２）の前記移動の軸線（１８）に対して１°以上で厳密に２°未満であるときには、第２光度閾が決定される、請求項７または８のいずれかに記載の方法。
【請求項１０】
前記第２光度閾は、６２５カンデラより大きく１７５０カンデラ以下である、請求項９記載の方法。
【請求項１１】
前記物体（５，５ａ，５ｂ）の前記角位置が前記車両（２）の前記移動の軸線（１８）に対して０．５°以上で厳密に１°未満であるときには、第３光度閾が決定される、請求項７から１０のいずれかに記載の方法。
【請求項１２】
前記第３光度閾は、１７５０カンデラより大きく５４５０カンデラ以下である、請求項１１記載の方法。
【請求項１３】
前記物体（５，５ａ，５ｂ）の前記角位置が前記車両（２）の前記移動の軸線（１８）に対して厳密に４．８°より大きいか、或いは厳密に０．５°未満であるときには、第４光度閾が決定される、請求項７から１２のいずれかに記載の方法。
【請求項１４】
前記第４光度閾は５４５０カンデラ以上である、前記請求項に記載の方法。
【請求項１５】
前記物体（５）が前記車両（２）と同じ方向に移動しているものと決定されたときには、前記光度閾が少なくとも２つの閾から選択され、各閾は、少なくとも前記車両（２）から前記物体（５）を隔てる距離を所定の距離と比較することによって決定される、請求項４記載の方法。
【請求項１６】
各閾は、前記物体（５）の前記角位置を所定の角度範囲（３１，３２，３３，３４）と比較することによって決定される、請求項１５記載の方法。
【請求項１７】
前記車両（２）からの前記物体（５）の距離が５０メートル以下であるときには、第５光度閾が決定される、請求項１５または１６記載の方法。
【請求項１８】
前記第５光度閾は１８５０カンデラ以下である、請求項１７記載の方法。
【請求項１９】
前記車両（２）からの前記物体（５）の距離が、厳密に５０メートルより大きく、１００メートル以下であるときには、第６光度閾が決定される、請求項１７または１８のいずれかに記載の方法。
【請求項２０】
前記第６光度閾は、厳密に１８５０カンデラより大きく、５３００カンデラ以下である、請求項１９記載の方法。
【請求項２１】
前記車両（２）からの前記物体（５）の距離が、厳密に１００メートルより大きく、２００メートル以下であるときには、第７光度閾が決定される、請求項１７から２０のいずれかに記載の方法。
【請求項２２】
前記第７光度閾は、厳密に５３００カンデラより大きく、１６，０００カンデラ以下である、請求項２１記載の方法。
【請求項２３】
前記車両（２）からの前記物体（５）の距離が２００メートルより大きいときには、第８光度閾が決定される、請求項１７から２２のいずれかに記載の方法。
【請求項２４】
前記第８光度閾は１６，０００カンデラ以上である、請求項２３記載の方法。
【請求項２５】
移動の方向が互いに反対な少なくとも２つの車両の特性を示す物体（５，５ａ，５ｂ）を前記検出段階が検出したときに光度閾を選択する段階が設けられ、前記選択段階は、検出された前記複数の車両によって決まる前記光度閾のうち最も弱い光度閾を課すものである、請求項２から２４のいずれかに記載の方法。
【発明の詳細な説明】
【技術分野】
【０００１】
本発明の技術分野は、自動車両のための照明および／または合図用の装置ないし手段を制御するための方法の分野である。
【背景技術】
【０００２】
自動車両の分野においては、車両の進行する道路を「部分的道路照明モード」で照射すること、即ちハイビームの中に、対向車両や同方向へ進む車両の存在する場所に対応した１つないし複数のより暗い部位を生じさせることができるようにする必要性がある。それは、できるだけ広く道路を照射しながら、これらの車両の乗員を眩惑させるのを避けるためである。そのような機能は、ＡＤＢ（アダプティブ・ドライビングビーム：配光可変ヘッドライト）と呼ばれる。
【０００３】
特許文献１（FR2970686A1）は、検出した物体の位置で光ビーム内に照度の局所的な低下を生じさせるＡＤＢシステムを開示している。
【０００４】
そのようなシステムは、いくつかの欠点を有している。まず、このシステムによって適用される照度の低下は、制御するのが困難である。その照度の低下が、眩惑のないことを保証する規制基準を満たさねばならないからである。明らかに、この場合は最適かつ信頼性ある安全水準を保証するのが困難なのである。
【０００５】
また、この照度の低下には、ＡＤＢ機能の少なからぬコストを象徴するところの追加的な電子的手段を必要とする。
【０００６】
最後に、上記で引用した文献に開示されるシステムは、改善に値するものである。照度の低下ではあるものの、ＡＤＢ機能を備えた車両の運転者の照度低下区域における視認性は、それでもなお最大の均質な光ビームの照明と比べれば減少してしまう。従って、この最大の均質な照明は、他の道路使用者を眩惑させる危険性を伴うことなく、できるだけ長い間保たれるべきである。照度の低下は、規定された範囲内に物体が進入するやいなや、但し、その物体が事実上眩惑されるべき位置にあるかどうかを確かめることなく、適用されてしまう。この範囲内に存在していても物体は、特にＡＤＢ機能を備えた車両から遠くにあるときには、眩惑されるとは限らないのである。
【先行技術文献】
【特許文献】
【０００７】
【特許文献１】仏国特許出願公開第２９７０６８６号明細書
【発明の概要】
【発明が解決しようとする課題】
【０００８】
従って本発明の目的は、上述した欠点を解決し、陰区域を作り出すのを決定する段階を改善することである。先行技術のシステムによって行われる決定に加えて、本発明による方法は、物体の眩惑レベルを算定し、この基準を、検出した物体の位置においてビーム内に陰区域を作り出すか否かを決定するのに用いるのである。
【課題を解決するための手段】
【０００９】
従って、本発明の対象は、光ビームを発生させる複数の光源を備えた車両用の照明システムを制御するための方法であって、
−  車両の前方の物体を検出する段階と、
−  検出段階中に行われる検出の関数として、光ビーム内に陰区域を作り出す段階であって、検出された物体を完全に包含している空間中で光ビーム内に陰区域が作り出される段階と、
を備えた方法において、
物体を包含している空間内に光源のうち少なくとも１つによって生じる光度が、ある光度閾よりも大きいときに、この光源の消灯によって陰区域が作り出され、光度閾は、厳密にゼロより大きく、かつ車両の移動の軸線に対する物体の角位置、および／または車両に対する物体の移動の方向、および／または車両に対するその距離の関数として決定されることを特徴とする方法である。
【００１０】
従って本発明は、必然的にゼロより大きく、かつ車両と比較した物体の進行方向の関数として、この物体の角位置もしくは車両から物体を隔てる距離、または最後の２つのパラメータ同士の組合わせの関数として適合される光度閾を定めるものである。従って、車両の運転者は、できるだけ長い間、但し他の道路使用者の眩惑を伴うことなく、最大限の照度を保証されるのである。
【００１１】
用語「検出された物体」は、１つないし複数の車両の特性を示す空間的な区域を表し、この区域は、少なくとも、これらの車両における運転者の目の位置と、当該車両の側方車体外後写鏡の位置とを包含している。
【００１２】
フレーズ「空間中で／空間内に」は、この空間中／空間内の少なくとも一箇所において、光源によって生じる光度が光度閾よりも大きいという事実を表している。
【００１３】
本発明による方法は、少なくとも２つのヘッドライトを備えた照明システムに適用されてもよく、当該方法は、陰区域が各ヘッドライトについて独立して決定され、ヘッドライトの一方が、他方のヘッドライトによって作り出される陰区域の決定のために、消灯されたものと見做されることを特徴とする。
【００１４】
本発明の一例によれば、光度閾は、車両の移動の軸線に対する物体の角位置、車両に対する物体の移動の方向、および車両に対するその距離の関数として決定される。かくして、これら３つのパラメータ同士の組合わせによって閾が決定され得る。
【００１５】
光度閾は、物体の車両に対する移動の方向の決定の関数としての少なくとも２つの別個の閾から選択されてもよい。
【００１６】
当該方法の例示的な適用によれば、物体が車両とは反対の方向に移動しているものと決定されたときには、光度閾が少なくとも３つないし４つの別個の閾から選択され、各閾は、少なくとも物体の角位置を所定の角度範囲と比較することによって決定される。
【００１７】
上記の解決策に加えて、各閾は、車両から物体を隔てる距離を所定の距離の範囲と比較することによって決定されてもよい。
【００１８】
物体の角位置が車両の移動の軸線に対して２°以上であり、特に車両の移動の軸線に対して２°から４．８°の間にあるときには、第１光度閾が決定される。この状況は、車両に向かってやって来る、少し離れたところの物体を対象としている。
【００１９】
そのような場合、第１光度閾は６２５カンデラ以下であるが、上述したように必然的にゼロより大きい。
【００２０】
物体の角位置が車両の移動の軸線に対して１°以上で厳密に２°未満であるときには、第２光度閾が決定される。この状況は、車両に向かってやって来る、中くらいに離れたところの物体を対象としている。
【００２１】
そのような状況では、第２光度閾は、６２５カンデラより大きく１７５０カンデラ以下である。
【００２２】
車両の移動の軸線に対して計測した物体の角位置が０．５°以上で厳密に１°未満であるときには、第３光度閾が決定される。この状況は、車両に向かってやって来る、遠く離れたところの物体を対象としている。
【００２３】
そのような場合、第３光度閾は、１７５０カンデラより大きく５４５０カンデラ以下である。
【００２４】
物体の角位置が車両の移動の軸線に対して厳密に４．８°より大きいか、或いは厳密に０．５°未満であるときには、第４光度閾が決定される。この場合は、物体が車両から特に遠く離れているか、或いは、物体が実質的に車両の隣、従って通過される地点にいるという標準設定による場合である。
【００２５】
そのような状況において、第４光度閾は５４５０カンデラ以上である。
【００２６】
本発明のもう一つの代替的ないし追加的な実施形態によれば、物体が車両と同じ方向に移動しているものと決定されたときには、光度閾が少なくとも２つの閾から選択され、各閾は、少なくとも車両から物体を隔てる距離を所定の距離と比較することによって決定され、その所定の距離は、例えば一定の値または距離の範囲である。
【００２７】
上記で提示した解決策に加えて、各閾は、物体の角位置を所定の角度範囲と比較することによって決定される。物体の距離と角位置とを組み合わせることによって、閾の決定が精確となり、よって陰区域を作り出さねばならぬ時機が精確となる。
【００２８】
車両からの物体の距離が５０メートル以下であるときには、第５光度閾が決定される。
【００２９】
この第５閾の決定は、車両の移動の軸線に対する物体の角位置（この角位置は、車両の移動の軸線のいずれかの側に対して＋０．９°または−０．９°よりも大きい）を考慮することによって精確となり得る。
【００３０】
上記両方の場合において、第５光度閾は１８５０カンデラ以下であるが、必然的にゼロより大きい。
【００３１】
車両からの物体の距離が、厳密に５０メートルより大きく、１００メートル以下であるときには、第６光度閾が決定される。
【００３２】
この第６光度閾は、物体の角位置が車両の移動の軸線に対して＋０．４５°から＋０．９°の間、または−０．４５°から−０．９°の間にあると決定されたときには、更に精確となり得る。
【００３３】
上記両方の場合において、第６光度閾は、厳密に１８５０カンデラより大きく、５３００カンデラ以下である。
【００３４】
車両からの物体の距離が、厳密に１００メートルより大きく、２００メートル以下であるときには、第７光度閾が決定される。
【００３５】
この第７光度閾は、物体の角位置が車両の移動の軸線に対して＋０．４５°から−０．４５°の間にあると決定されたときには、より厳密なものとなる。
【００３６】
上記両方の場合において、第７光度閾は、厳密に５３００カンデラより大きく、１６，０００カンデラ以下である。
【００３７】
車両からの物体の距離が２００メートルより大きいときには、第８光度閾が決定される。この場合、第８光度閾は１６，０００カンデラ以上である。
【００３８】
当該方法は、移動の方向が互いに反対な少なくとも２つの車両の特性を示す物体を検出段階が検出したときに光度閾を選択する段階を備えていてもよく、当該選択段階は、検出された複数の車両によって決まる光度閾のうち最も弱い光度閾を課すものである。
【発明の効果】
【００３９】
本発明の最初の利点は、第１に、物体が検出されたとしても車両運転者のために最大の照度を維持しながら、第２に、この物体が臨界的な眩惑レベルに達するものと決定されたときには、その物体の検出されている区域内での光ビームの全体的な消灯を生じさせることによる、ＡＤＢ機能の安全水準の改善にある。
【００４０】
もう一つの利点は、ＡＤＢ機能を与えるのに用いられる技術的手段の削減にある。
【００４１】
本発明の更なる特徴、詳細、および利点は、図面と共に、参考のために以下に与えられた説明を読むことから、より明らかとなるであろう。
【図面の簡単な説明】
【００４２】
【図１】本発明による方法で得られるビームの一例を平面視で図式的に示す図。
【図２】本発明による方法で生み出される、中に陰区域が配置されたビームの一例の図式的な平面図。
【図３】本発明による方法を用いる車両に対して反対方向から接近する物体を検出するためのパラメータの一例を平面視で図式的に示す図。
【図４】本発明による方法を用いる車両に対して反対方向から接近する複数の物体を検出するためのパラメータの一例を平面視で図式的に描く図。
【図５】本発明による方法を用いる車両と同じ方向へ進行する物体を検出するためのパラメータの一例を平面視で図式的に示す図。
【図６】本発明による方法を用いる車両に対して反対方向から接近する物体の角度および／または距離の検出の例を示すグラフ。
【図７】本発明による方法を用いる車両と同じ方向へ進行する物体の角度および／または距離の検出の例を示すグラフ。
【発明を実施するための形態】
【００４３】
各図面は発明の実施のために本発明を詳細に描いているのであるが、当該図面はもちろん（当て嵌まる場合には）本発明をより明確にするのに役立ち得る、ということに留意されたい。
【００４４】
本発明はまず第１に、車両、特に自動車両によって放出される光ビームを制御するための方法に関する。そのような方法は、車両に装着された照明システムの照度および／または消灯を制御するものである。
【００４５】
図１に示すように、本発明の方法によれば車両２の光ビーム１が制御されるが、当該光ビームは輪郭３によって境界を定められている。この光ビーム１は、例えば車両２の前面に設置された２つの（普通ならばヘッドライトとして知られる）光学機器４によって作り出される。かくして光ビーム１は、車両の各ヘッドライト内に取り付けられた複数の光源、例えば３つから５つの光源によって生じる。
【００４６】
本発明による方法は最初に、物体５を検出する段階を備えている。物体５は、輪郭３によって境界を定められた光ビーム１に突入するやいなや、車両によって特定、即ち検出される。
【００４７】
本方法はまた、範囲７の境界を定める光度閾６を決定するが、その閾はここでは破線によって描かれている。如何なる陰区域も作り出されない場合には、範囲７の内部に位置する物体が規制基準を超える眩惑を蒙るものと予想される。しかしながら、輪郭３と光度閾６との間を伸びる光ビームのストリップは、一定の状況下では眩惑しないものと見做され得る。この理由により、物体５が光ビーム１内に位置していても、如何なる陰区域も作り出されていない。物体５を包含している空間１０内に（１つないし複数の）光源によって生じる光度は、符号６で印された破線によって示される光度閾よりも小さいからである。
【００４８】
図２は、特に、光ビーム１の内部に、検出された物体へ厳密に限定された陰区域８を作り出すことによる、アダプティブ（配光可変）光ビーム機能の使用を示している。この陰区域８は、物体５の周囲に形成された輪郭９によって境界を定められている。本発明によれば、この陰区域８は、物体５を包含している空間１０内に光源のうちの少なくとも１つによって生じる光度が、符号６で印された破線によって示される光度閾よりも大きいときに、この光源の消灯によって作り出されるものである。
【００４９】
図１と図２の比較により、本発明によって達成される利点が直ちに示される。事実上、物体は光ビーム１内へと突入してしまってはいるが、当該物体は眩惑されていないものと考えられるのである。従って、ビームがその全範囲に渡って均質なままであることから、車両２の使用者の視覚的な快適性は、その最大限の水準に維持され得るのである。但し、照明範囲７（この範囲では（１つないし複数の）光源が、決められた閾を超過するビームを発生させる）に物体５が進入すると見做されるやいなや、物体５の位置する空間内にビームを発生させることになったであろう（１つないし複数の）光源を完全に消灯することによって、ビーム内に陰窓部（陰になった空白域）が作り出される。
【００５０】
陰区域８の生成は、本方法の一段階より結果として得られるものである。この生成段階は、上述した決定段階によって左右される。
【００５１】
かくして陰区域８は、物体５を包含している空間１０内に（１つないし複数の）光源によって生じる光度と、（普通ならば眩惑閾として知られる）光度閾との間の比較によって作り出される。
【００５２】
本発明によれば、この閾は厳密にゼロよりも大きい。その閾はまた、車両２の移動の軸線に対する物体５の角位置、および／または、車両２に対する物体５の移動の方向、および／または、車両２に対するその距離の関数として決定される。かくして本発明は、単一のパラメータだけでなく、これらのパラメータの全ての組合わせの使用をも包含するものである。本発明の一例によれば、光度閾６は、少なくとも３つの上記に提示したパラメータ同士を組み合わせる（即ち、車両２から物体５を隔てる距離の決定と組み合わされる、車両２に対する物体５の移動の方向と組み合わされる、車両２の移動の軸線に対する物体５の角位置）。
【００５３】
図面に示すように、本発明による方法を用いる照明システムは、車両２の前面に取り付けられた少なくとも２つの前部ヘッドライト４を備えていてもよい。そのような場合、陰区域８は、ヘッドライトのそれぞれについて独立して決定される。それにより、陰区域８の輪郭９とそのビームが重なり合う光源を消灯することが回避される。この第１のヘッドライトに対する陰区域の決定については、第２のヘッドライトが消灯されたものと見做される。
【００５４】
光度閾は、物体の車両に対する移動の方向の決定の関数として、少なくとも２つの別個のレベルから選択される。図３または図５の実施形態によれば、検出段階によって、物体５が車両２とは反対の方向へ移動しているもの決定される。また、陰区域の生成を制御するこの光度閾のレベルの決定は、物体５の角位置を用いて、その角位置を１つないし複数の所定の角セクター（円弧中心角）と比較するものである。
【００５５】
また、各レベルの光度閾は、車両２から物体５を隔てる距離を評価して、この距離を１つないし複数の所定の距離範囲と比較することによって決定される。
【００５６】
図３は、複数の通行車線を備えた道路１１を示している。本発明による方法を用いる車両２は、第１通行車線１２上を第１移動方向１３に進行している。物体５（例えば、自動車両、歩行者、二輪車・三輪車乗り、および、一般的に道路上に位置していて眩惑を避けられるべき任意の物体）は、第２通行車線１４上を、第１移動方向１３とは反対の第２移動方向１５に進行している。換言すれば、物体５と車両２とが互いに接近しているのである。
【００５７】
物体５の検出の段階は、車両２と一体の検出手段によって実施される。例示的な一実施形態によれば、検出手段は、車両２の前方の道路１１を観察するように車両２に設置されたカメラ１６の形態をとっている。
【００５８】
このカメラ１６は、車両２の移動の軸線１８と物体５の第１マーカーライト１９との間に渡る第１検出角度１７を決定する。このカメラ１６はまた、車両２の移動の軸線１８と物体５の第２マーカーライト２１との間に渡る第２検出角度２０を決定する。この第１検出角度１７と、この第２検出角度２０とによって、物体５が内部に位置する検出角セクター２２の計算が可能となる。
【００５９】
この検出角セクター２２から、例えば座標変換によって、車両２の右側ヘッドライト４ａ上に頂点の置かれた第１角セクター２３を決定することができる。同様に、検出角セクター２２から、本方法は、車両２の左側ヘッドライト４ｂ上に頂点の中心がある第２角セクター２４を決定する。この場合、第１角セクター２３および第２角セクター２４は、検出角セクター２２から外挿法にて推定される、ということを理解されたい。
【００６０】
本発明によって示される可能性によれば、第１角セクター２３および第２角セクター２４は、物体５の２つの車体外後写鏡の外縁を通る補正角度に反映される安全マージンによって増大させられる。この補正角度が、物体の位置する空間を決定するのに用いられる。本発明による方法は次に、比較段階を作動させて、この空間の方を向いた（１つないし複数の）光源によって生じる光度が、物体が車両とは反対の方向へ移動しているという事実と、車両に対するその角位置とによって決定される光度閾を超過しているかどうかを確かめる。
【００６１】
上記のことから、検出段階によって、まず第１に物体５が車両２とは反対の方向へ移動していることが決定され、第２に、この物体の車両２に対する角位置が決定される、ということを理解されたい。より厳格な作動モードを構成する同様のやり方では、陰区域８を生成するように（１つないし複数の）光源の消灯を決定するのに、車両２から物体５を隔てる距離も使用してよい。
【００６２】
図４は、本方法が、参照符号５ａおよび５ｂで示す複数の物体の存在を検出する状況を例示している。車両２は、その移動の軸線１８に沿って第１移動方向１３に進行している。第１物体５ａおよび第２物体５ｂを形成する２つの車両は、車両２の移動方向とは反対の第２方向１５に進行している。
【００６３】
カメラ１６は、２つの物体５ａおよび５ｂを特定し、図３で説明した原理に従って、第１物体５ａに対して第１検出角セクター２２ａを割り当て、第２物体５ｂに対して第２検出角セクター２２ｂを割り当てる。
【００６４】
この第１検出角セクター２２ａおよび第２検出角セクター２２ｂから、例えば座標変換と安全マージンの付加とによって、本方法は、車両２の右側ヘッドライト４ａに割り当てられた第１角セクター２３と、車両２の左側ヘッドライト４ｂ上に頂点の中心がある第２角セクター２４とを決定する。
【００６５】
この第１角セクター２３と、この第２角セクター２４とによって、２つの物体５ａおよび５ｂが内部に位置する単一空間の決定と、そして（１つないし複数の）光源によって生じる光度が決められた閾を超過することの確認とが可能となる。そのような状況においては、両方の物体５ａおよび５ｂが互いに隣り合うやいなや、これらの物体を包含する単一の陰区域８が作り出される。従って、本方法は、少なくとも２つの直接的に隣り合った物体に対して単一の陰区域８を作り出すように、検出された各物体を一纏めにする段階を備えているのである。
【００６６】
図５は、第１に本発明による方法を用いる車両２と、第２に眩惑を回避されるべき物体５とが、その上を同じ移動方向１８に進行している道路１１を平面視で示している。第１実施形態に代わる、或いは付け加えられるこの第２実施形態によれば、物体５が車両２と同じ移動方向１８に移動しているものと決定されたときに、光度閾が少なくとも２つのレベルから選択される。それぞれのレベルは、車両から物体を隔てる距離を所定の距離範囲と比較することによって決定される。
【００６７】
車両２に装着されたカメラ１６は、例えば物体５の第１尾灯２５および第２尾灯２６の存在を検出することによって、その物体５を特定する。この検出によって、車両２と物体５とが同じ方向に進行しているときに、車両２から物体５を隔てる距離を決定することが可能となる。もう一つの例示的な実施形態によれば、２つの尾灯２５および２６の検出によって、検出角セクター２２の形成が可能となる。その検出角セクター２２より、本方法は、車両２から物体５を隔てる距離を論理的に導出することができる。図３および図４の実施形態と同様のやり方で、車両２の第１ヘッドライト４ａに割り当てられた第１角セクター２３と、車両２に装着された第２ヘッドライト４ｂに割り当てられた第２角セクター２４とを決定するように、この検出角セクター２２に外挿法による推定が適用され得る。
【００６８】
従って、本該方法によって、物体５が内部に広がる空間の決定と、そして、この空間内に存在する光度の光度閾との比較とが可能となる。その光度閾は、物体が車両と同じ方向に移動しているという事実に関連付けられると共に、車両２からその物体を隔てる距離の関数として関連付けられるものである。その際、閾の決定に物体の角位置も用いてよい。
【００６９】
本発明の一例によれば、本方法は、検出段階によって互いに反対方向へ移動する複数の物体が検出されたときに、いくつかの光度レベルからの選択の段階を作用させる。これは特に、第１に車両の前方にあって車両と同じ移動方向に進行している第１物体の存在を、第２に車両とは反対の方向に進行している第２物体の存在を、車両２が検出したときの場合である。そして、２つの光度閾があって、１番目が車両と同じ方向に進行している物体に結びつけられ、２番目が車両とは反対の方向に進行している物体に結びつけられている。そのような状況では、選択段階によって、２つのうち弱い方の光度閾が課される。そして、（１つないし複数の）光源によって生じる光度が、この選択段階から結果として得られる弱い方の光度閾よりも大きくなるやいなや、陰区域が作り出されるのである。かくして、道路使用者の眩惑のないことが保証される。
【００７０】
図６は、図３または図４に示した第１実施形態、即ち車両の移動方向とは反対の方向に物体が移動している場合に適用可能なグラフである。このグラフの横座標が光度閾を決める角度の範囲を示すのに対して、このグラフの縦座標は、車両の移動の軸線１８と、車両から物体を隔てる距離の範囲とを示している。
【００７１】
本方法の例示的な使用によれば、上記で説明した検出角セクターによって決まる物体５の角位置が第１角度範囲２７内にあるときには、第１光度閾が決定される。その第１角度範囲２７は、車両の移動の軸線１８に対して２°以上である。この第１角度範囲２７は、車両の移動の軸線１８に対して４．８°の角度によって限定されていてもよい。検出角セクターがこの第１角度範囲２７に入るやいなや、本方法は、（１つないし複数の）光源によって生じる光度と第１光度閾との間の比較を行う。この比較の結果が、（１つないし複数の）光源によって生じる光度が第１光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。第１光度閾は、ゼロよりも大きくて、この第１の下限と６２５カンデラである最大値との間にある値のいずれかより選択される。
【００７２】
本発明のもう一つの例によれば、第２角度範囲２８が第２光度閾を生じさせる。この第２角度範囲は、車両の移動の軸線１８に対して１°である角度と２°未満の角度との間に渡っている。物体の位置を決める検出角セクターがこの第２角度範囲２８内に入るやいなや、本方法は、（１つないし複数の）光源によって生じる光度と第２光度閾との間の比較を行う。この比較の結果が、（１つないし複数の）光源によって生じる光度が第２光度閾よりも大きいことを示す場合には、本方法は、（１つないし複数の）光源を消灯することによって、物体の周囲に陰区域を作り出す。そうでない場合には、少なくとも物体の位置する空間のレベルにて光ビームが照射され続ける。第２光度閾は、６２５カンデラよりも大きく、１７５０カンデラ以下である。
【００７３】
本発明による方法のもう一つの例示的な実施によれば、第３角度範囲２９が第３光度閾の決定を可能とする。この第３角度範囲２９は、車両の移動の軸線１８に対して０．５°以上で厳密に１°未満である。物体の位置の対象となる検出角セクターがこの第３角度範囲２９内に入るか、或いは含まれると決定されるやいなや、本方法は、（１つないし複数の）光源によって生じる光度と第３光度閾との間の比較を行う。この比較の結果が、（１つないし複数の）光源によって生じる光度が第３光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。第３光度閾は、１７５０カンデラよりも大きく、５４５０カンデラ以下である。
【００７４】
本発明のもう一つの例によれば、検出された物体が第４角度範囲３０内に存在するときに用いられる第４光度閾が作り出される。その第４角度範囲３０は、車両の移動の軸線に対して厳密に４．８°より大きく、および／または厳密に０．５°未満である。物体の位置の対象となる検出角セクターがこの第４角度範囲３０内にあるか、或いは交わっていると決定されたとき、本方法は、（１つないし複数の）光源によって生じる光度と第４光度閾との間の比較を行う。この比較の結果が、（１つないし複数の）光源によって生じる光度が第４光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。第４光度閾は、厳密に５４５０カンデラよりも大きい。
【００７５】
前に説明したように、上記４つの例で用いた検出角セクターは、車両の移動の軸線に対して傾いた一対の角度によって境界を定められている。一対の角度のうち少なくとも一方の角度が当該の角度範囲内に入るときには、角セクターがその角度範囲内にあるものと見做される。２つの角度範囲同士が重なり合う場合、本方法は、２つの角度範囲同士の重複から生じる２つのうち弱い方の光度閾の使用を課すものである。
【００７６】
上述した４つの例は、車両から物体を隔てる距離の決定を用いてはいない。それにも拘わらず、本発明は、この車両から物体を隔てる距離をも考慮することによって（特に、この距離を１つないし複数の所定の距離範囲と比較することで）閾を決定するという、この可能性を包含しているのである。この距離を考慮に入れることは、上述した角度範囲を限定する角度に対して、以下のように影響し得る：
−  物体が０から１００メートルの間にあるときには、２°から４．８°の間の第１角度範囲２７、
−  物体が１００から２００メートルの間にあるときには、１°から２．４°の間の第２角度範囲２８、
−  物体が１００および２００メートルよりも大きいときには、０．５°から１．２°の間の第２角度範囲２９（第４角度範囲は変わらないままである）。
【００７７】
図７は、図５に例示した第２実施形態、即ち車両の移動方向と同じ方向に物体が移動している場合に適用可能なグラフを示している。このグラフの縦座標が、車両の移動の軸線１８と、本方法がそれから光度閾を決めるところの車両から物体を隔てる距離の範囲とを示すのに対して、このグラフの横座標は角度範囲を示している。本発明による方法は、図３、図４、および図６を参照して説明した本方法の使用を、図５および図７の本方法の使用と組み合わせてもよい、ということを理解されたい。
【００７８】
この第２の使用の方法は、少なくとも３つの変形例：単一の距離を用いる第１変形例、複数の距離範囲を用いる第２変形例、および複数の距離範囲を車両に対する物体の角位置と組み合わせる第３変形例によって実施され得る。
【００７９】
二値型と呼ばれる第１変形例は、一定の予め規定された距離の関数として一次光度閾と二次光度閾とを決定することからなる。一例によれば、物体が１００メートルよりも遠いときには一次閾が用いられるのに対して、０から１００メートルの間の車両に対しては二次光度閾が適用可能である。物体と車両との間の距離が１００メートルよりも大きいと決定されるやいなや、本方法は、（１つないし複数の）光源によって生じる光度と一次光度閾との間の比較を行なう。この比較の結果が、（１つないし複数の）光源によって生じる光度が一次光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。二次光度閾に関しても、車両から物体を隔てる距離が１００メートル未満であると決定されたときには同様の比較が適用され得る。この変形例において、一次光度閾が５３５０カンデラ以上であるのに対して、二次光度閾は厳密にゼロより大きく、１８５０カンデラ以下である。
【００８０】
第２変形例によれば、車両からの物体の距離が５０メートル以下であるときには、第５光度閾が決定される。従って、０から５０メートルの間の距離の第５範囲３１が作り出される。物体と車両との間の距離が、この第５範囲３１に入るか、或いは含まれると決定されるやいなや、本方法は、物体の広がる空間内に（１つないし複数の）光源によって生じる光度と、第５光度閾との間の比較を行なう。この比較の結果が、（１つないし複数の）光源によって生じる光度が第５光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。第５光度閾は、厳密にゼロより大きく、１８５０カンデラ以下である。
【００８１】
上述した第３変形例によれば、物体と車両との間の距離を物体の角位置と組み合わせることによって、第５光度閾が精確化され得る。かくして、車両の移動の軸線１８のいずれかの側で計測した物体の角位置が＋０．９°または−０．９°よりも大きいときには、上述した第５光度閾が決定され得るのである。
【００８２】
車両からの物体の距離が、厳密に５０メートルより大きくて１００メートル以下であるときには、第６光度閾が決定される。かくして、５０から１００メートルの間の距離の第６範囲３２が形成される。物体と車両との間の距離が、この第６範囲３２に入るか、或いは含まれると決定されるやいなや、本方法は、物体の広がる空間内に（１つないし複数の）光源によって生じる光度と、第６光度閾との間の比較を行なう。この比較の結果が、（１つないし複数の）光源によって生じる光度が第６光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。第６光度閾は、厳密に１８５０カンデラより大きく、５３００カンデラ以下である。
【００８３】
上述した第３変形例によれば、距離の第６範囲３２を物体の角位置と組み合わせることによって、第６光度閾が精確化され得る。かくして、物体の角位置が、車両の移動の軸線１８に対して＋０．４５°から＋０．９°の間、または−０．４５°から−０．９°の間にあるときには、上述した第６光度閾が決定され得るのである。
【００８４】
例示的な使用によれば、車両からの物体の距離が、厳密に１００メートルより大きくて２００メートル以下であるときには、第７光度閾が決定される。かくして、１００から２００メートルの間の距離の第７範囲３３が形成される。物体と車両との間の距離が、この第７範囲３３に入るか、或いは含まれると決定されるやいなや、本方法は、物体の広がる空間内に（１つないし複数の）光源によって生じる光度と、第７光度閾との間の比較を行なう。この比較の結果が、（１つないし複数の）光源によって生じる光度が第７光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。第７光度閾はかくして、厳密に５３００カンデラより大きく１６，０００カンデラ未満である。
【００８５】
上述した第３変形例によれば、距離の第６範囲３２を物体の角位置と組み合わせることによって、第７光度閾が精確化され得る。かくして、物体の角位置が、車両の移動の軸線１８に対して＋０．４５°から−０．４５°の間にあるときには、上述した第７光度閾が決定され得るのである。
【００８６】
もう一つの例示的な使用によれば、車両からの物体の距離が、厳密に２００メートル以上であるときには、第８光度閾が決定される。かくして、２００メートルを上回る距離の第８範囲３４が形成される。物体と車両との間の距離が、この第８範囲３４に入るか、或いは含まれると決定されるやいなや、本方法は、物体の広がる空間内に（１つないし複数の）光源によって生じる光度と、第８光度閾との間の比較を行なう。この比較の結果が、（１つないし複数の）光源によって生じる光度が第８光度閾よりも大きいことを示す場合には、本方法は、関係する（１つないし複数の）光源を消灯することによって、物体の周囲に陰区域を作り出す。そうでない場合には、少なくとも物体の位置する空間のレベルにて光ビームが照射され続ける。第８光度閾は、１６，０００カンデラ以上である。
【００８７】
上述した第３変形例によれば、距離の第６範囲３２を物体の角位置と組み合わせることによって、第７光度閾が精確化され得る。かくして、物体の角位置が、車両の移動の軸線１８に対して＋０．４５°から−０．４５°の間にあるときには、上述した第７光度閾が決定され得るのである。
【００８８】
上記の説明は、左ハンドルの車両に関するものである。しかしながら本発明は、車両の移動の軸線に対して対称に角度値を移動させて、右ハンドルの車両のために用いられる方法をも包含するものである。
【図１】
2015527253.tif 000003
【図２】
2015527253.tif 000004
【図３】
2015527253.tif 000005
【図４】
2015527253.tif 000006
【図５】
2015527253.tif 000007
【図６】
2015527253.tif 000008
【図７】
2015527253.tif 000009
【国際調査報告】
2015527253.tif 000010
2015527253.tif 000011
2015527253.tif 000012
2015527253.tif 000013
2015527253.tif 000014
2015527253.tif 000015